(57)【要約】【課題】頭部および胴部を含む複数個の部片が有機的に屈曲することにより、水中で生物様の柔軟な挙動を行うプラグ型のルアーを提供する。【解決手段】ルアーは、少なくとも頭部および胴部を有する複数個の部片で構成し、前後の各部片を留め金具で直線状にジョイントするとともに、さらに前後の部片を内部収納の柔軟な弾性部材で関連づけることにより、前方部片の動きに後方部片が追随し、ルアー全体において少なくとも水平方向に自然な屈曲性を付与する。【選択図】図１
0003132520.tif 000002
【実用新案登録請求の範囲】
【請求項１】
少なくとも頭部および胴部を有する複数個の部片で構成するプラグ型のルアーであって、前後の各部片を留め金具で直線状にジョイントするとともに、さらに前後の部片を内部収納の柔軟な弾性部材で関連づけることにより、前方部片の動きに後方部片が追随し、ルアー全体において少なくとも水平方向に自然な屈曲性を付与するルアー。
【請求項２】
頭部および２個以上の胴部で構成するプラグ型のルアーであって、頭部と第１胴部ならびに第１胴部と第２胴部などを留め金具で直線状にジョイントするとともに、第１胴部の軸方向に貫通孔を設け、該貫通孔を通過する柔軟な弾性部材は、その前端部を頭部の後端面に取り付けてから、第１胴部の貫通孔を通過させ、該バネの後端部を第２胴部の前端面に取り付けることにより、頭部の動きに第１胴部および第２胴部を追随させ、ルアー全体において少なくとも水平方向に自然な屈曲性を付与するルアー。
【請求項３】
前方部片の後端面および後方部片の前端面において軸方向に盲孔を形成し、弾性部材であるコイルバネまたは線細工バネの前方部を前方部片の盲孔に挿入してバネ前端で固着し、一方、コイルバネまたは線細工バネの後方部を後方部片の盲孔に挿入してバネ後端で固着することにより、屈曲時にコイルバネまたは線細工バネの弾性限界を維持させる請求項１または２記載のルアー。
【請求項４】
弾性部材が両端フック付きの線バネ状の引張コイルバネであり、盲孔を直径方向に通過するピンがバネ端フックと係合することにより、バネ前後端を盲孔内で固着している請求項１、２または３記載のルアー。
【請求項５】
最後方の胴部の後端面に尾部または釣針を直交係合のアイレットでジョイントする請求項１または２記載のルアー。
【考案の詳細な説明】
【技術分野】
【０００１】
本考案は、ルアーフィッシングにおいて擬餌針として用いるプラグ型のルアーに関し、特に、頭部および胴部を含む複数個の部片が有機的に屈曲することによって水中で生物様の柔軟な挙動を行うジョイント型のルアーに関する。
【背景技術】
【０００２】
ルアーフィッシングは、生餌を使わずに魚釣りできるので自然環境を損なうことが少なく、近年、スポーツフィッシングとして女性も含めて人気が高まっている。擬餌針であるルアーにおいて、小魚の形状を模したプラグ型のルアーは、一般にプラスチック製またはバルサ材製などであり、その独特の外観からいかにも釣果が増えそうで人気がある。プラグ型のルアーは、魚型のルアー本体を有し、該ルアー本体の口端部、頭側部、腹部、尾部などにラインまたは釣針を連結するアイレットを固着している。
【０００３】
プラグ型のルアーには、特開平８−２９８８９７号のように、頭部および胴部である２部片から構成するジョイント型があり、この種のルアーではルアー本体の頭部と胴部がジョイント部で屈曲することにより、リトリービングの際に実際の魚に近い動きを与えている。また、この動きをより自然に近づけるために、特開２００２−３６０１２８号では、ルアー頭部の後方窪みに胴部の前方突出部が嵌合するとともに、この嵌合部において両端に球状の回転部を有する連結部材が配置され、該連結部材の両回転部がルアー頭部または胴部の球形凹み内に収納されることにより、ルアー本体はリトリービング時に回転または左右に振れる。
【０００４】
特開２００４−２３６５４８号は、ルアー本体が複数の部片に分割されるとともに、各部片をつなぐ可撓性心材がインサートされ、該可撓性心材によって各部片が屈曲可能となる。この可撓性心材は細い金属線を撚糸したワイヤまたは金属薄板である。また、特開２００４−３５７６４６号は、５個以上の筒部材の軸孔に心材を挿通して胴部を屈曲可能にし、屈曲性を高めるために各筒部間に小球を介在させ、該心材は強弾性を有する形状記憶合金材などである。特開２００５−１４３４４６号は、分割された胴部と尾部とを閂状部材でジョイントするとともに、該胴部と尾部とを連通する軸孔を設け、該軸孔内に固定杆を移動可能に収納することにより、キャスティング時に胴部と尾部の相互揺動を規制し、リトリービングの際にはルアーのスイムアクションを行わせる。
【特許文献１】特開平８−２９８８９７号公報
【特許文献２】特開２００２−３６０１２８号公報
【特許文献３】特開２００４−２３６５４８号公報
【特許文献４】特開２００４−３５７６４６号公報
【特許文献５】特開２００５−１４３４４６号公報
【考案の開示】
【考案が解決しようとする課題】
【０００５】
従来のプラグ型のルアーにおいて、特開平８−２９８８９７号および特開２００２−３６０１２８号では、頭部と胴部をつなぐ連結部材自体は公知のものであるから、ルアー本体に単純な揺動や回転運動を付与することはできても、水中で生物様の挙動をさせことは不可能であり、これは特開２００５−１４３４４６号についても同様である。特に、図５のようにルアー本体が水底で下向きに垂直に立脚した場合には、頭部や胴部を含む各部片はバラバラの動きになってしまう。
【０００６】
一方、特開２００４−２３６５４８号および特開２００４−３５７６４６号は、ルアー本体の各部片をつなぐ心材自体が弾性を有し、該心材が湾曲することで胴部を屈曲可能にする。これらのルアー本体では、キャスティング時にルアーの全荷重が心材に作用するので、該心材が破断したり永久変形しないように高い引張り強度および強弾性を有することが必要である。このため、これらのルアー本体は各部片が屈曲可能であっても、強弾性の心材のために各部片の動きは比較的単純化され、リトリービング時に水中で生物様の微妙な動きを与えることはできない。
【０００７】
本考案は、従来のジョイント型ルアーに関する前記の問題点を改善するために提案されたものであり、リトリービング時に水中で生物様の柔軟な挙動を付与できるルアーを提供することを目的としている。本考案の他の目的は、水底で下向きに垂直に立脚した際に、頭部や胴部を含む各部片が有機的に挙動するルアーを提供することを目的としている。
【課題を解決するための手段】
【０００８】
本考案に係るルアーは、少なくとも頭部および胴部を有する複数個の部片で構成するプラグ型のルアーである。本考案のルアーは、前後の各部片を留め金具で直線状にジョイントするとともに、さらに前後の部片を内部収納の柔軟な弾性部材で関連づけることにより、前方部片の動きに後方部片が追随し、ルアー全体において少なくとも水平方向に自然な屈曲性を付与する。
【０００９】
本考案に係るルアーは、頭部および２個以上の胴部で構成するプラグ型のルアーであって、頭部と第１胴部ならびに第１胴部と第２胴部などを留め金具で直線状にジョイントするとともに、第１胴部の軸方向に貫通孔を設けてもよい。このルアーでは、第１胴部の貫通孔を通過する柔軟な弾性部材は、その前端部を頭部の後端面に取り付けてから、第１胴部の貫通孔を通過させ、該バネの後端部を第２胴部の前端面に取り付けることにより、頭部の動きに第１胴部および第２胴部が追随し、ルアー全体において少なくとも水平方向に自然な屈曲性を付与する。
【００１０】
本考案のルアーは、前方部片の後端面および後方部片の前端面において軸方向に盲孔を形成し、弾性部材であるコイルバネまたは線細工バネの前方部を前方部片の盲孔に挿入してバネ前端で固着し、一方、コイルバネまたは線細工バネの後方部を後方部片の盲孔に挿入してバネ後端で固着すると好ましく、これによって屈曲時にコイルバネまたは線細工バネの弾性限界を維持させる。本考案のルアーにおいて、弾性部材が両端フック付きの線バネ状の引張コイルバネであり、盲孔を直径方向に通過するピンがバネ端フックと係合することにより、バネ前後端を盲孔内で固着すると好ましい。また、所望に応じて、最後方の胴部の後端面に尾部または釣針を直交係合のアイレットでジョイントする。
【００１１】
本考案を図面によって説明すると、本考案に係るルアー１は、通常、部片全体で小魚、昆虫や爬虫類などの外観を有するプラグ型であり、ルアー本体２は少なくとも頭部３および胴部５を有するジョイント型となる。本考案のルアー１は、水面に浮き上がるフロート式、水中に沈み込むシンク式などのいずれにも適用できる。
【００１２】
ルアー本体２は、表面着色のバルサ材のような木製、ポリウレタンやポリスチレンのようなプラスチック製、金属製またはこれらの素材の組み合わせである。木製の場合には切削加工によって成形し、プラスチック製の場合には射出成形、トランスファ成形や圧縮成形などによって樹脂成形すればよい。
【００１３】
ルアー本体２の各部片は、頭部５および２個以上の胴部５，６で構成することが多く、さらに尾部７を有していてもよく、それぞれの部品間を留め金具によって揺動可能にジョイントすることを要する。この留め金具は、例えば、隣接部片にそれぞれ固着した直交係合のアイレット１０，１２からなり、図４に示すようなバーベル状の留め金具１１４を用いても、閂受け孔を設けたプレートを垂直方向の閂ピンでジョイントしても、または公知の可動式継手を利用することも可能である。
【００１４】
ルアー本体２において、前後の部片の動きは内部収納の柔軟な弾性部材で関連づけ、前方部片の動きに後方部片を追随させ、ルアー全体において少なくとも水平方向に自然な屈曲性を付与し、さらに上下方向にも屈曲可能であると好ましい。この際に、胴部６と尾部７との間は、図１のようにジョイントするだけであっても、または弾性部材で関係づけることも可能である。この弾性部材は、例えば、線バネ状の引張コイルバネ４０（図１）、ジグザグバネのような線細工バネまたは各種のゴム系素材などであり、コイルバネ４０は両端がフック付きであると取り付けが容易である。コイルバネ４０は、図１のように１本使用しても、図３のように２本を直線状に使用する場合があり、２本以上を並列配置することも可能である。
【００１５】
ルアー本体２の内部に弾性部材を収納するために、前方部片の後端面および後方部片の前端面において軸方向に盲孔４２，４６を形成すると好ましい。弾性部材である引張コイルバネ４０は、図２のように中間の貫通孔４４を通過させてその前後端を盲孔４２，４６で固着しても、図４のように両盲孔内だけに収納してもよい。両盲孔を深く穿孔することにより、ある程度長いコイルバネ４０を使用することができ、該バネが９０度近くまで屈曲してもバネの弾性限界を維持させることが可能となる。
【考案の効果】
【００１６】
本考案に係るルアーは、公知の留め金具で各部片をジョイントするとともに、各部片間の揺動を内部の弾性部材によって抑制するため、連結と屈曲の作用をそれぞれ別の部材で行うことになる。このため、各部片間のジョイントは強固であり，且つリトリービング時に水中で生物様の柔軟な挙動を比較的容易に付与できる。本考案のルアーは、前後の部片を内部収納の柔軟な弾性部材で関連づけることにより、前方部片の動きに後方部片が追随し、ルアー全体において水平方向に自然な屈曲性を付与でき、さらに上下方向にも自然な屈曲性を付与することが可能である。
【００１７】
本考案に係るルアーでは、ルアーが所望のポイントに着水してから、ロッドチップアクションを与えて糸ふけさせると、ルアー本体は惰性で直進し、この際に横側から水の抵抗を受けてジョイント部分で屈曲するが、各部片の折れ曲がりは内部の弾性部材によって直線状に戻され、全体として極端な屈曲が内部の弾性部材で抑制されて、ルアー本体は全体として滑らかに湾曲走行する。このルアー本体をウォーブンロールさせながらリトリーブすると、ルアー本体２は各ジョイント部で相互に滑らかに揺動し、実際の小魚に近い挙動を行って対象魚を効果的に引き付ける。
【００１８】
本考案に係るルアーは、一旦、リトリーブを緩めてルアー本体を水底まで降下させると、内部のおもりによって水底で下向きに立脚し、且つ内部の弾性部材の存在によって湾曲した垂直状態を維持するので、この態様のままで徐々にリトリーブしてもよい。この場合には、ルアー本体２は上下方向に微動しながら下向きのままでリトリーブされるため、小魚が恰も地中の虫を捕食しながら移動するような挙動になり、対象魚を効果的に引き付けることができる。
【考案を実施するための最良の形態】
【００１９】
次に、本考案を実施例に基づいて説明するが、本考案は実施例に限定されるものではない。図１は、本考案に係るルアー１の一例を示し、ルアー本体２は部片全体で小魚、昆虫や爬虫類などの外観を有するプラグ型である。ジョイント型のルアー本体２の各部片は、例えば、小魚の一部を構成する先丸で円錐状の頭部３、ほぼ円柱状の第１胴部５、細長い円錐台形状の第２胴部６および横Ｖ字形側面の肉厚尾部７とで構成する（図５参照）。
【００２０】
ルアー本体２は、表面着色のバルサ材のような木製、プラスチック製または部分的に金属製であり、通常、頭部３の下方にはおもり（図示しない）を埋設する。アイレット１０，１２などの留め金具は、その基部を各部片にねじ込みさらに接着剤で固定するかまたはインサート成形することによって固着し、図示しないけれども、その基部には抜け落ち防止用の環状溝などを設けている。
【００２１】
図２に示すように、頭部３の後端面８にアイレット１０を固着し、一方、該アイレットと直交係合するアイレット１２を第１胴部５の前端面１４に固着することにより、頭部３と第１胴部５を相互に揺動可能且つ一直線状にジョイントする。頭部後端面８と第１胴部前端面１４との間隔１６を狭くするために、アイレット１０，１２がそれぞれ部分的に嵌り込む湾曲凹み１８，２０を端面に形成し、これらの凹みに防水性の接着樹脂（図示しない）を充填する。同様に、直交係合のアイレット２２，２４によって第１胴部５と第２胴部６とを揺動可能にジョイントし、第１胴部後端面２６および第２胴部前端面２８には、アイレット２２，２４がそれぞれ部分的に嵌り込む凹み３０，３２を形成する。また、直交係合のアイレット３４，３６（図１）によって、第２胴部６と尾部７とを揺動可能にジョイントする。
【００２２】
頭部３と第１胴部５とは、水平または上下方向に相互に揺動した際に後端面８と前端面１４とが接触することによって両者の屈曲角度が制限され、その屈曲角度が９０度未満になるように間隔１６を定める。第１胴部５と第２胴部６についても、水平または上下方向に相互に揺動した際に後端面２６と前端面２８とが接触することによって両者の屈曲角度が制限され、その屈曲角度が９０度未満になるように間隔３８を定める。水平および上下方向の屈曲角度が、一部を除いて６０度前後であると実際の魚に近似の屈曲になり、且つ内部の線バネ状の引張コイルバネ４０を極限まで引っ張ることが少なくなって、該バネの弾性限界を維持させやすいので好ましい。
【００２３】
一方、頭部３には、その後端面８の上方に盲孔４２を軸方向に形成し、該盲孔と一直線状に貫通孔４４を第１胴部５に形成する。第２胴部６には、その前端面２８の上方に盲孔４６を形成し、該盲孔４６は貫通孔４４つまり盲孔４２と一直線状に配置する。両端フック付きの引張コイルバネ４０は、盲孔４２から貫通孔４４を経て盲孔４６内に収納され、その前端フック４８をピン５０におよび後端フック５１をピン５２に掛止めする。ピン５０は、頭部３の後方上方から盲孔４２を直径方向に下方へ通過してねじ止めされる。一方、ピン５２は、第２胴部６の前方上方から盲孔４２を直径方向に下方に通過してねじ止めされる。引張コイルバネ４０は、図２の態様において引張荷重を殆ど受けていないことが望ましい。
【００２４】
ルアー本体２において、頭部３の後方側面にアイレット５４を固着し、該アイレットにはスイベル５５を介してライン５６（図５）を取り付ける。第１胴部５には、アイレット５４と反対側の側面にアイレット５８を固着し、該アイレットに釣針６０を取り付ける。さらに所望に応じて、第２胴部６の下面などにフックアイを固着してもよい。
【００２５】
ルアー１をキャストする際には，該ルアーをライン５６に吊り下げた状態から所定のポイントに向かって振り込み、遠心力を受けてルアー１は尾部７を進行方向に向けて空中を飛翔する。この際に、ルアー本体２はコイルバネ４０によって不必要な折れ曲がりが抑制され、飛翔時において過度の空気抵抗を受けることが少なくなり、より遠方のポイントまで到達しやすくなる。
【００２６】
ルアー１が所望のポイントに着水すると、リトリーブが開始されてライン５６が引かれ、ルアー１が水の抵抗を受けて頭部３が上向きになると、コイルバネ４０を介して第２胴部６も上向きになり、ルアー本体２は水表面に走行しやすくなる。ロッドチップアクションを与えて糸ふけさせると、ルアー本体２は惰性で直進し、この際に横側から水の抵抗を受けてジョイント部分で屈曲するが、頭部３の折れ曲がりはコイルバネ４０を介して第２胴部６を直線状に戻し、第２胴部６の折れ曲がりはコイルバネ４０を介して頭部３を直線状に戻すため、全体として極端な屈曲がコイルバネ４０で抑制され、ルアー本体２は全体として滑らかに湾曲走行する。ルアー本体２をウォーブンロールさせながらリトリーブすると、ルアー本体２は各ジョイント部で相互に揺動し、実際の小魚に近い挙動を行って対象魚を効果的に引き付ける。
【００２７】
また、ポイントが比較的浅瀬の場合には、図５に示すように、一旦、ライン５６を緩めてルアー本体２を水底６２まで降下させ、水底６２で下向きに垂直に立脚させながら再び徐々にリトリーブしてもよい。この場合には、ルアー本体２は内部のコイルバネ４０によって下向きに緩く湾曲し、上下方向に微動しながら下向きのままでリトリーブされるため、小魚が恰も地中の虫を捕食しながら移動するような挙動になり、対象魚を効果的に引き付けることができる。
【００２８】
図３は本考案の変形例を示し、ルアー本体６４は部片全体でサンマのような細長い小魚の外観を有するプラグ型である。ジョイント型のルアー本体６４の各部片は、小魚の一部を構成する先丸で円錐状の頭部６６、ほぼ円柱状の第１胴部６８、第２胴部７０、第３胴部７２、細長い円錐台形状の第４胴部７４および横Ｖ字形側面の肉厚尾部７６とで構成する。頭部６６と第１胴部６８は直交係合のアイレット組７８により、第１胴部６８と第２胴部７０は直交係合のアイレット組８０により、第２胴部７０と第３胴部７２は直交係合のアイレット組８２により、第３胴部７２と第４胴部７４は直交係合のアイレット組８４により、および第４胴部７４と尾部７６とは直交係合のアイレット組８６により、それぞれ揺動可能にジョイントする。
【００２９】
図示しないけれども、頭部６６には、その後端面の上方に盲孔を軸方向に形成し、該盲孔と一直線状に貫通孔を第１胴部６８、第２胴部７０、第３胴部７２にそれぞれ形成する。第４胴部７４には、その前端面の上方に盲孔を形成し、該盲孔は前記の貫通孔と一直線状に配置する。両端フック付きの第１コイルバネ８８は、頭部６６の盲孔から第１胴部の貫通孔を経て第２胴部７０の貫通孔内に収納され、その前端フックをピン９０におよび後端フックをピン９２に掛止めする。一方、第２コイルバネ９４は、第２胴部７０の貫通孔から第３胴部７２の貫通孔を経て第４胴部７４の盲孔内に収納され、その前端フックをピン９２におよび後端フックをピン９６に掛止めする。引張コイルバネ８８，９４は、図３の態様において引張荷重を殆ど受けていないことが望ましい。
【００３０】
ルアー本体６４において、頭部６６の先端にライン用のアイレット９８を固着する。また、第１胴部６８の下端面には、釣針１００を取り付けるアイレット１０２を固着し、第３胴部７２の下端面にも、釣針１０４を取り付けるアイレット１０６を固着する。
【００３１】
ロッドチップアクションを与えて糸ふけさせると、ルアー本体６４は惰性で直進し、この際に横側から水の抵抗を受けてジョイント部分で屈曲するが、全体として極端な屈曲がコイルバネ８８，９４で抑制され、ルアー本体６４は全体として滑らかに湾曲走行する。ルアー本体６４をウォーブンロールさせながらリトリーブすると、ルアー本体６４は各ジョイント部で相互に揺動し、実際の小魚に近い挙動を行って対象魚を効果的に引き付ける。比較的ポイントが浅瀬の場合には、一旦、リトリーブを緩めてルアー本体６４を水底まで降下させ、水底で下向きに立脚させながら再び徐々にリトリーブしてもよい。
【００３２】
図４は本考案の別の変形例を示し、ルアー本体１０８は頭部１１０と胴部１１２で構成する小魚の外観を有するプラグ型である。頭部１１０と胴部１１２との留め金具１１４は、鉄球付きのバーベルのような外観を有し、一方の鉄球は頭部１１０の後端面側の球形孔内に摺動可能に嵌入し、他方の鉄球は胴部１１２の前端面側の球形孔内に摺動可能に嵌入する。
【００３３】
図示しないけれども、頭部１１０の後端面の上方に盲孔を軸方向に形成し、且つ胴部１１２の前端面の上方にも盲孔を形成し、両盲孔は比較的深く穿孔され且つ一直線状に配置する。両端フック付きのコイルバネ１１６は、頭部１１０の盲孔と胴部１１２の盲孔内に収納され、その前端フックをピン１１８におよび後端フックをピン１２０に掛止めする。引張コイルバネ１１６は、図４の態様において引張荷重を殆ど受けていない。
【００３４】
ルアー本体１０８において、頭部１１０の下顎部付近に平板状のリップ１２２を斜め下向きに取り付け、さらに頭部１１０の先端にライン用のアイレット１２４を固着する。胴部１１２の後端面には、尾部の代わりに、釣針１２６を取り付けるアイレット１２８を固着する。
【００３５】
ルアーが所望のポイントに着水すると、リトリーブが開始されてラインが引かれ、ルアー本体１０８はリップ１２２が水の抵抗を受けて潜行し、頭部１１０が下向きになると、コイルバネ１１６で引っ張られて胴部１１２も下向きになり、ルアー本体１０８が水中に潜行しやすくなる。ルアー本体１０８をウォーブンロールさせながらリトリーブすると、ルアー本体１０８はジョイント部で相互に揺動し、実際の小魚に近い挙動を行って対象魚を効果的に引き付ける。比較的ポイントが浅瀬の場合には、一旦、リトリーブを緩めてルアー本体１０８を水底まで降下させ、水底で下向きに立脚させながら再び徐々にリトリーブしてもよい。
【図面の簡単な説明】
【００３６】
【図１】本考案に係るルアーの一例を示す側面図である。
【図２】図１のルアーの要部を拡大して示す部分断面図である。
【図３】本考案の変形例を示すルアーの側面図である。
【図４】本考案の別の変形例を示すルアーの側面図である。
【図５】図１のルアーを下側から図示し、その使用状態を例示する側面図である。
【符号の説明】
【００３７】
１    ルアー
２    ルアー本体
３    頭部
５    第１胴部
６    第２胴部
７    尾部
１０，１２    アイレット
２２，２４    アイレット
３４，３６    アイレット
４０    引張コイルバネ
４２    盲孔
４４    貫通孔
４６    盲孔
【図１】
0003132520.tif 000003
【図２】
0003132520.tif 000004
【図３】
0003132520.tif 000005
【図４】
0003132520.tif 000006
【図５】
0003132520.tif 000007
【手続補正書】
【提出日】平成19年4月4日(2007.4.4)
【手続補正１】
【補正対象書類名】実用新案登録請求の範囲
【補正対象項目名】全文
【補正方法】変更
【補正の内容】
【実用新案登録請求の範囲】
【請求項１】
少なくとも頭部および胴部を有する複数個の部片で構成するプラグ型のルアーであって、前後の各部片を留め金具で直線状にジョイントするとともに、さらに前後の部片を内部収納の柔軟な弾性部材で連動させることにより、前方部片の動きに後方部片が追随し、ルアー全体において少なくとも水平方向に自然な屈曲性を付与するルアー。
【請求項２】
頭部および２個以上の胴部で構成するプラグ型のルアーであって、少なくとも頭部と第１胴部ならびに第１胴部と第２胴部を留め金具で直線状にジョイントするとともに、第１胴部の軸方向に貫通孔を設け、該貫通孔を通過する柔軟な弾性部材は、その前端部を頭部の後端面に取り付けてから、第１胴部の貫通孔を通過させ、該バネの後端部を第２胴部の前端面に取り付けることにより、頭部の動きに第１胴部および第２胴部を追随させ、ルアー全体において少なくとも水平方向に自然な屈曲性を付与するルアー。
【請求項３】
前方部片の後端面および後方部片の前端面において軸方向に盲孔を形成し、弾性部材であるコイルバネまたは線細工バネの前方部を前方部片の盲孔に挿入してバネ前端で固着し、一方、コイルバネまたは線細工バネの後方部を後方部片の盲孔に挿入してバネ後端で固着することにより、屈曲時にコイルバネまたは線細工バネの弾性限界を維持させる請求項１または２記載のルアー。
【請求項４】
弾性部材が両端フック付きの線バネ状の引張コイルバネであり、盲孔を直径方向に通過するピンがバネ端フックと係合することにより、バネ前後端を盲孔内で固着している請求項１、２または３記載のルアー。
【請求項５】
最後方の胴部の後端面に尾部または釣針を直交係合のアイレットでジョイントする請求項１または２記載のルアー。